(57)【要約】公知技術による電機子は、積層薄板内に配置されている磁石を積層薄板が完全に取囲んでいるために積層薄板にて磁気流損失が大きい積層薄板を有している。本発明による電機子は、磁石（２４）を部分的にしか取囲まない少なくとも１つの積層薄板（１）を含む積層薄板から成る薄板パッケージを有している。したがって磁気的な流れにおける損失は減少させられる。
2004514388.tif 000002
【特許請求の範囲】
【請求項１】
少なくともロータ軸と、少なくとも２つの積層薄板と、少なくとも１つの積層薄板によって保持された少なくとも１つの磁石とを有しており、少なくとも１つの積層薄板が少なくとも１つの閉じたポケットを有し、前記磁石が少なくとも部分的に、少なくとも１つの積層薄板に設けられた閉じたポケット内に配置されている形式の電気的な機械のための電機子において、当該電機子（２０）がｎ個の磁石（２４）を有し、少なくとも１つの積層薄板（１）がｎ−ｍ個の閉じたポケット（５）を有し、この場合、ｍがｎよりも小さく、０よりも大きい選ばれており、少なくとも１つの積層薄板（１）が周方向で他の積層薄板（１）に対し回動させられており、積層薄板（１）が積み重ねられて薄板パッケージを形成していることを特徴とする、電機子。
【請求項２】
１つの積層薄板（１）がｍ個の開いたポケットを有し、前記磁石がプレス嵌めによって前記少なくとも１つの積層薄板におけるポケット（５，７）の少なくとも１つに固定されている、請求項１記載の電機子。
【請求項３】
前記磁石（２４）が前記薄板パッケージ（１５）の周囲の射出成形によって固定されている、請求項１記載の電機子。
【発明の詳細な説明】
【０００１】
技術分野
本発明は請求項１に記載した形式の電機子から出発している。
【０００２】
ＪＰ２０００１５２５３５Ａ号によれば磁石のために開いたポケットしか有しておらず、該ポケット内に磁石が形及び摩擦接続で保持されている積層薄板スタックが公知である。個々の積層薄板は磁石をその外周にて保持する外側のウェブを有していない。積層薄板に対する機械的な負荷は大きい。
【０００３】
ＪＰ０９０４６９４６Ａ号からは、磁石が積層薄板が閉じられたポケット内に完全に配置されている積層薄板スタックが公知である。この場合には磁石を外周にて掴みかつポケットを閉鎖するウェブの付加的な鉄によってウェブと磁石の縁領域とにおいては顕著な磁気流損失が発生する。この結果、積層薄板スタックが使用される電気的な機械の出力減退が生じる。
【０００４】
ＵＳ−ＰＳ２，３２３，１１４号明細書によれば薄板パッケージのための積層薄板の特殊な構成によって磁気的な流れ損失が減じられている薄板パッケージが公知である。この場合にはステータ歯が少なくとも部分的に互いに分離されている。
【０００５】
ＵＳ−ＰＳ４，７７７，３９７号明細書によれば、所定数の積層薄板が閉じたポケットだけを有し、このポケット内に磁石が少なくとも部分的に配置されている電機子が公知である。他の積層薄板は開いたポケットしか有していないので、そこでは磁石の外周部は薄板によっては取囲まれない。磁石は接着剤によって、開いたポケット内に確保される。ここでは２つの異なる構成の積層薄板が必要である。
【０００６】
発明の利点
これに対し、請求項１の特徴を有する本発明による電機子は、簡単な形式で磁石が薄板パッケージによって固定されかつ磁気的な磁気流損失が減じられるという利点を有している。
【０００７】
従属請求項に述べた特徴によっては請求項１に述べた電機子の有利な変更と改善とが可能である。
【０００８】
磁石の周囲に射出成形されることで磁石は薄板パッケージ内に有利な形式で固定される。これは例えばプラスチック射出成形で行なうことができる。この結果、外部からの環境の影響に対する保護も保証される。
【０００９】
図面
本発明の１実施例が図面に簡略化されて示されており、以後、これについて詳細に説明する。
【００１０】
実施例の説明
図には基体２と、該基体２から半径方向外方へ突出する複数の突起１３とから成る積層薄板１が示されている。ほぼ正方形の外郭を備えた基体２は中央に孔９を有し、該孔９内にはロータ軸２２（図３）が配置されている。基体２はロータ軸２２を完全にその半径方向外周にて取囲んでいる。例えば基体２の角隅に設けられた突起１３は磁石２４（図３）が配置されているポケット３を形成する。積層薄板１はｎ個のポケットを有している。［ｎ−ｍ］個のポケット（この場合ｍはｎより小さく零より大きい）は少なくとも１つの積層薄板１にて閉じたポケット５を形成している。このポケット５はウェブ１１が２つの突起１３を互いに基体２に対して間隔をおいて結合していることで形成されている。この実施例においては４つの突起１３で形成された４つのポケット３があり、その内の１つは閉じたポケット５である。したがって数ｎは４であり、数ｍは３である。つまり開いたポケット７は３つ存在している。突起１３は、この縁領域における磁気的な流れ損失が著しく減じられるように構成されている。突起１３にはポケット３内へ向けられた突出部１４が設けられている。この突出部１４は磁石を点で案内しかつ流れ損失を低減させる。
【００１１】
図２には積層薄板１がどのように配置されて薄板パッケージ１５を形成するかが示されている。この実施例では薄板パッケージ１５内に４つの磁石２４が保持されることができる。しかし薄板パッケージ１５の積層薄板１は、より少ないか又はより多くの磁石２４が存在するように構成されていることもできる。したがって例えば直接的に隣接する積層薄板１は磁石の数又は９０゜（磁石の数又はｎで３６０゜を割った角度）だけ連続的に互いに回動させられている。互いに回動させられた積層薄板を前記形式で積み重ねることによって、閉じたポケット５により４つの受容部１８が形成されかつ半径方向で確保される。薄板パッケージ１５の前記櫛状の構造によって磁気的な流れ損失は著しく減じられる。積層薄板１は公知の形式で互いに結合され、薄板パッケージ１５を形成する。又、薄板パッケージ１５を形成するために積層薄板１には唯一の構成しか必要でなくなる。図２に示された実施例では基体２の２つの角隅部だけに突起１３が設けられかつウェブ１１によって結合されている。
【００１２】
図３には電気的な機械、例えば電気的なモータ又は電気的な発電機のために構成された、本発明による電機子が示されている。
【００１３】
電機子２０はロータ軸２２を有し、該ロータ軸２２は孔９内に配置されかつ薄板パッケージ１５と不動に結合されている。受容部１８内には磁石２４が配置されている。磁石２４は例えばプレス嵌めで、積層薄板１のポケット５，７内に固定されている。さらに薄板パッケージ１５の周囲を磁石２４と一緒に射出成形、例えばプラスチック射出成形で射出成形し、これによって磁石２４を薄板パッケージ１５内に固定することもできる。同様に積層薄板１を前記射出成形で固定して薄板パッケージ１５を形成することもできる。
【００１４】
本発明による電機子２０は図示の実施例に限定されるものではない。磁石の数が４である場合に、２又は３つの閉じられたポケット５が存在していることもできる。この場合には個々の積層薄板は例えば１８０゜の角度だけ回動させられる。又、磁石の数がより大きい場合又はより小さい場合に開いたポケットと閉じたポケットの数に他の数を選ぶことも考えられる。同様に薄板パッケージ１５にて局所的に開いたポケット７しか有していないか閉じたポケット５しか有していない積層薄板１が存在していることもできる。又、積層薄板５には２つ以上の連続する同じ積層薄板１が互いに回動させられず、それに次いで少なくとも１つの積層薄板１を前記積層薄板１に対し回動させて配置することもできる。
【図面の簡単な説明】
【図１】
本発明の電機子のための積層薄板を示した図。
【図２】
図１の積層薄板から形成された薄板パッケージを示した図。
【図３】
本発明による電機子を示した図。
【符号の説明】
１　積層薄板、　２　基体、　３　ポケット、　５　ポケット、　７　ポケット、　９　孔、　１１　ウェブ、　１３　突起、　１４　突出部、　１５　薄板パッケージ、　１８　受容部、　２０　電機子、　２２　ロータ軸、　２４　磁石
【国際公開パンフレット】
2004514388.tif 000003
2004514388.tif 000004
2004514388.tif 000005
2004514388.tif 000006
2004514388.tif 000007
2004514388.tif 000008
2004514388.tif 000009
2004514388.tif 000010
2004514388.tif 000011
2004514388.tif 000012
2004514388.tif 000013
2004514388.tif 000014
【手続補正書】
【提出日】平成14年8月20日(2002.8.20)
【手続補正１】
【補正対象書類名】明細書
【補正対象項目名】特許請求の範囲
【補正方法】変更
【補正の内容】
【特許請求の範囲】
【請求項１】
少なくともロータ軸と、少なくとも２つの積層薄板と、少なくとも１つの積層薄板によって保持された少なくとも１つの磁石とを有しており、少なくとも１つの積層薄板が少なくとも１つの閉じたポケットを有し、前記磁石が少なくとも部分的に、少なくとも１つの積層薄板に設けられた閉じたポケット内に配置されている電気的な機械のための電機子であって、当該電機子（２０）がｎ個の磁石（２４）を有し、少なくとも１つの積層薄板（１）がｎ−ｍ個の閉じたポケット（５）を有し、この場合、ｍがｎよりも小さく、０よりも大きい選ばれており、少なくとも１つの積層薄板（１）が周方向で他の積層薄板（１）に対し回動させられており、積層薄板（１）が積み重ねられて薄板パッケージ（１５）を形成している形式のものにおいて、前記磁石（２４）が前記薄板パッケージ（１５）の周囲の射出成形によって固定されていることを特徴とする、電機子。
【請求項２】
１つの積層薄板（１）がｍ個の開いたポケットを有し、前記磁石がプレス嵌めによって前記少なくとも１つの積層薄板（１）におけるポケット（５，７）の少なくとも１つに固定されている、請求項１記載の電機子。
【国際調査報告】
2004514388.tif 000015
2004514388.tif 000016
2004514388.tif 000017
2004514388.tif 000018
2004514388.tif 000019
2004514388.tif 000020